(57)【特許請求の範囲】
【請求項１】
第１周波数帯域と第２周波数帯域とを有する二重化スキームにおいて容量を改善する方法であって；
前記第１周波数帯域における使用可能容量を決定する段階；
前記第１周波数帯域上に、前記第１周波数帯域における前記使用可能容量に対応する可変量の帰還データであって、前記第２周波数帯域における通信の品質を改善するデータによって構成される帰還データを送信する段階；および
前記帰還データが使用可能な場合に、それを用いて前記第２周波数帯域上の通信を最適化する段階；
によって構成されることを特徴とする方法。
【請求項２】
前記第１周波数帯域上における前記使用可能容量の決定後に、関連する第１量の帰還データを有する第１最適化スキームを選択する段階によってさらに構成され、前記第１最適化スキームの選択が前記第１周波数帯域上の前記使用可能容量に基づいて行われることを特徴とする請求項１記載の方法。
【請求項３】
前記第１最適化スキームは、対応する量の帰還データを有する少なくとも２つの最適化スキームの集合から選択されることを特徴とする請求項２記載の方法。
【請求項４】
前記少なくとも２つの最適化スキームから選択される前記第１最適化スキームに関連する前記帰還データが、前記量の帰還データのうち最小量の帰還データであり、それによって前記第１周波数帯域の最小量の容量を利用することを特徴とする請求項３記載の方法。
【請求項５】
第２最適化スキームが前記第１最適化スキームと置き換わるために選択され、このとき、前記第１周波数帯域において前記第１最適化スキームによって消費される容量が、前記第２最適化スキームによって消費される容量よりも大きいことを特徴とする請求項４記載の方法。
【請求項６】
前記第２最適化スキームは、前記第１最適化スキームから１増分値分だけ隔てられることを特徴とする請求項５記載の方法。
【請求項７】
前記第１周波数帯域上の前記使用可能容量は、誤り率を監視することによって推定されることを特徴とする請求項１記載の方法。
【請求項８】
第１固定端末および第２固定端末と通信状態にある端末を設ける段階によってさらに構成され、前記第１および第２固定端末は、前記第１周波数帯域において特定の個別周波数チャネルにおいて前記端末と通信状態にあり、前記特定の個別周波数チャネルの各々に関して使用可能容量が決定され、最も少ない使用可能容量を有する周波数チャネルが前記第１最適化スキームを選択する基準として選択されることを特徴とする請求項２記載の方法。
【請求項９】
選択される前記の第１最適化スキームは、関連する加入者の速度に基づき選択されることを特徴とする請求項２記載の方法。
【請求項１０】
前記第１周波数帯域上の前記使用可能容量が、前記帰還データの送信を行うには不充分な場合に、選択される前記の第１最適化スキームがいかなる帰還データの送信をも必要としないことを特徴とする請求項１記載の方法。
【請求項１１】
新規加入者の登録時に、前記新規加入者に関して選択される最適化スキームは、同一セル内の既存の加入者と匹敵する量の関連帰還データを有することを特徴とする請求項２記載の方法。
【請求項１２】
第１周波数帯域と第２周波数帯域とを有する二重化スキームにおいて容量を改善する装置であって；
前記第１周波数帯域における使用可能容量を決定する手段；
前記第１周波数帯域上に、前記第１周波数帯域における前記使用可能容量に対応する可変量の帰還データであって、前記第２周波数帯域における通信の品質を改善するデータによって構成される帰還データを送信する手段；および
前記帰還データが使用可能な場合に、それを用いて前記第２周波数帯域上の通信を最適化する手段；
によって構成されることを特徴とする装置。
【請求項１３】
複数のアンテナによって構成されるアンテナ・アレイにおいて第２周波数帯域における送信ダイバーシチを最適化する方法であって；
前記アンテナ・アレイからの送信を受信する端末からの第１周波数帯域における使用可能容量を決定する段階；
前記使用可能容量に対応する可変量の帰還データであって、前記送信ダイバーシチを改善するデータによって構成される帰還データを前記端末が送信する段階；
前記複数のアンテナから所定数のアンテナを選択する段階；および
前記帰還データに応答して、前記所定数のアンテナの各々の位相を設定する段階；
によって構成されることを特徴とする方法。
【請求項１４】
前記帰還データに応答して、前記所定数のアンテナの各々の利得を設定する段階によってさらに構成されることを特徴とする請求項１３記載の方法。
【発明の詳細な説明】
【０００１】
【産業上の利用分野】
本発明は、無線通信システムに関する。特に、たとえば汎ヨーロッパ・デジタル化移動体通信システム（GSM: Global System for Mobile Communication）またはユニバーサル移動電気通信システム（UMTS: Universal Mobile Telecommunications System）など周波数割当の周波数分割二重（FDD：Frequency Division Duplex）スキームを採用するシステムに関する。
【０００２】
【従来の技術および発明が解決しようとする課題】
FDDスキームにおいては、第１周波数帯域が、たとえば移動端末と、基地局などの固定端末との間のアップリンク通信に割り当てられ、第２周波数帯域がダウンリンク通信に割り当てられる。
【０００３】
UMTSのために提案されるようなFDDスキームで動作する広帯域CDMAなどの符号分割多重接続（CDMA： Code Division Multiple Access）システムは、容量に制約がある。この容量は干渉により制約を受ける。従って、システムの負荷（システムを利用する加入者数）が増えるにつれて、システム内の干渉レベルが高くなり、それによってシステム容量が制限される。
【０００４】
故に、電気通信システムの負荷に対する需要の増大に対処するために、FDDスキームのもとで動作する広帯域CDMAシステムなどの電気通信システムの容量を増大することが望ましい。
【０００５】
【課題を解決するための手段】
本発明の第１局面により、第１周波数帯域と第２周波数帯域とを有する二重化スキームにおいて容量を増大する方法であって：第１周波数帯域上で使用可能な容量を決定する段階と、第１周波数帯域上の使用可能な容量に対応する可変量の帰還データを第１周波数帯域上に送信する段階であって、この帰還データが第２周波数帯域上の通信品質を改善するデータによって構成される段階と、帰還データが使用可能な場合にそれを用いて第２周波数帯域上の送信を最適化する段階とによって構成される方法が提供される。
【０００６】
本発明の第２局面により、第１周波数帯域と第２周波数帯域とを有する二重化スキームにおいて容量を増大する装置であって：第１周波数帯域上で使用可能な容量を決定する手段と、第１周波数帯域上の使用可能な容量に対応する可変量の帰還データを第１周波数帯域上に送信する手段であって、この帰還データが第２周波数帯域上の通信品質を改善するデータによって構成されることを特徴とする手段と、帰還データが使用可能な場合にそれを用いて第２周波数帯域上の送信を最適化する手段とによって構成される装置が提供される。
【０００７】
本発明の第３局面により、複数のアンテナによって構成されるアンテナ・アレイにおける送信ダイバーシチを最適化する方法であって：複数のアンテナから所定数のアンテナを選択する段階と、アンテナ・アレイからの送信を受信するように配置される端末から受信される帰還データに応答して、所定数のアンテナの各々の位相を設定する段階とによって構成される方法が提供される。
【０００８】
その他の好適な特徴および利点は、以下の説明と従属請求項２ないし１１および１４に明記され、それらから明らかである。
【０００９】
アップリンク周波数帯域上に使用可能な予備の容量を用いて帰還データを送信することにより、ダウンリンク通信を最適化し、ダウンリンク周波数帯域内の干渉を削減して、それによりダウンリンク容量を増大することが可能である。
【００１０】
このような方法は、たとえば、ダウンリンク上の負荷がアップリンク上よりも大きい、非対称負荷システムの場合に特に有用である。このような負荷は、マイクロセルおよびピコセルなどのように低速で移動する加入者が存在する場所に起こる。
【００１１】
本発明の少なくとも１つの例を、添付の図面を参照して、例示する。
【００１２】
【実施例】
広帯域CDMAシステム１００（図１）は、カバレージ・エリア１０２を提供する基地局１０２と複数のその他の基地局１０４とによって構成される。基地局１０２は、無線周波数インタフェース１１０を介して移動端末１０８と通信することができる。他の移動端末１１２もカバレージ・エリア１０６内に存在することがある。
【００１３】
基地局１０２（図２）は、送信ダイバーシチ・プロセッサ２０６とアンテナ重み付け選択ユニット２０８とによって構成される。送信ダイバーシチ・プロセッサ２０６とアンテナ重み付け選択ユニット２０８の機能は、いずれも基地局１０２のマイクロプロセッサ（図示せず）により具現化される。
【００１４】
送信ダイバーシチ・プロセッサ２０６は、基地局２００において受信される信号品質を示す信号を受信するための第１入力２１０と、採用される最適化スキーム（下記に詳細に説明する）の確認を受信するための第２入力２１２と、帰還データを受信するための第３入力２１４とを有する。送信ダイバーシチ・プロセッサ２０６は、アンテナ重み付け選択ユニット２０８に対して重みおよび遅延（w，d）データを送信する第１出力２１６と、移動端末１０８および他の移動端末１１２に対してダウンリンク制御チャネル情報を送信する第２出力２１８も有する。
【００１５】
送信ダイバーシチ・プロセッサ２０６は、第１入力２１０に結合されるアップリンク品質ユニット２２０とスキーム選択ユニット２２２とによって構成され、スキーム選択ユニット２２２は第２入力２１２および第２出力２１８とに結合される。スキーム選択ユニット２２２は、導出ユニット２２４に結合される。導出ユニット２２４は、第３入力２１４および第１出力２１６に結合される。導出ユニット２２４は、第３入力２１４において受信される帰還データから重みおよび遅延（w，d）を導き出す。
【００１６】
帰還データには、特にダウンリンク上に送信される信号の性能に関するデータおよび／または移動端末１０８が重みおよび遅延に関して基地局１０２にアンテナ重み付け選択ユニット２０８内で適応することを命ずるために用いるデータが含まれる。
【００１７】
アンテナ重み付け選択ユニット２０８は、第１拡散変調ユニット２３２に結合される第４入力２２６を有し、第１拡散変調ユニット２３２は第１ユーザに送信されるデータを拡散および変調することができる。アンテナ重み付け選択ユニット２０８は、第５入力２２８と第Ｎ入力２３０とを有し、これらの入力はそれぞれ、第２および第Ｎ拡散変調ユニット２３４，２３６に結合される。同様に、第２および第３拡散変調ユニット２３４，２３６は、第２ユーザおよび第Ｎユーザからのデータをそれぞれ拡散および変調する。
【００１８】
アンテナ重み付け選択ユニット２０８は、第３出力２３８，第４出力２４０および第５出力も有する。第３出力２３８，第４出力２４０および第５出力２４２は、それぞれ第１無線周波数（RF）ユニット２４４，第２RFユニット２４６および第３RFユニット２４８に結合される。第１，第２および第３RFユニット２４４，２４６，２４８は、入力信号を当技術で周知の方法により無線周波数信号に変換する。第１，第２および第３RFユニット２４４，２４６，２４８は、それぞれ第１アンテナ２５０，第２アンテナ２５２および第３アンテナ２５４に結合される。第１，第２および第３アンテナ２５０，２５２，２５４がアンテナ・アレイを形成する。
【００１９】
アンテナ重み付け選択ユニット２０８は、第１重み付け遅延網２５６，第２重み付け遅延網２５８および第３重み付け遅延網２６０によって構成される。
【００２０】
第１重み付け遅延網２５６は、第１ミキシング・ユニット２６２，第２ミキシング・ユニット２６４および第３ミキシング・ユニット２６６によって構成され、これらはそれぞれが第４入力２２６に結合される。第１，第２および第３ミキシング・ユニット２６２，２６４，２６６は、それぞれ、第１遅延ユニット２６８，第２遅延ユニット２７０および第３遅延ユニット２７２に結合される。第１，第２および第３ミキシング・ユニット２６２，２６４，２６６は、第１ユーザのデータに関する第１，第２および第３アンテナ２５０，２５２，２５４の重みデータを与える第１重み入力w1,1，第２重み入力w1,2および第３重み入力w1,3をそれぞれ有する。
【００２１】
第２重み付け遅延網２５８は、第１ミキシング・ユニット２７４，第２ミキシング・ユニット２７６および第３ミキシング・ユニット２７８によって構成され、これらはそれぞれが第５入力２２８に結合される。第１，第２および第３ミキシング・ユニット２７４，２７６，２７８は、それぞれ、第１遅延ユニット２８０，第２遅延ユニット２８２および第３遅延ユニット２８４に結合される。第１，第２および第３ミキシング・ユニット２７４，２７６，２７８は、第２ユーザのデータに関する第１，第２および第３アンテナ２５０，２５２，２５４の重みデータを与える第１重み入力w2,1，第２重み入力w2,2および第３重み入力w2,3をそれぞれ有する。
【００２２】
第３重み付け遅延網２６０は、第１ミキシング・ユニット２８６，第２ミキシング・ユニット２８８および第３ミキシング・ユニット２９０によって構成され、これらはそれぞれが第６入力２３０に結合される。第１，第２および第３ミキシング・ユニット２８６，２８８，２９０は、それぞれ、第１遅延ユニット２９２，第２遅延ユニット２９４および第３遅延ユニット２９６に結合される。第１，第２および第３ミキシング・ユニット２８６，２８８，２９０は、第Ｎユーザのデータに関する第１，第２および第３アンテナ２５０，２５２，２５４の重みデータを与える第１重み入力wN,1，第２重み入力wN,2および第３重み入力wN,3をそれぞれ有する。
【００２３】
第１遅延ユニット２６８，２８０，２９２は、第１合計ユニット２９７に結合され、第１アンテナ２５０に送られるすべての重み付け遅延信号を合計する。第１合計ユニット２９７は、第３出力２３８に結合される。
【００２４】
第２遅延ユニット２７０，２８２，２９４は、第２合計ユニット２９８に結合され、第２アンテナ２５２に送られるすべての重み付け遅延信号を合計する。第２合計ユニット２９８は、第４出力２４０に結合される。
【００２５】
第３遅延ユニット２７２，２８４，２９６は、第Ｎ合計ユニット２９９に結合され、第３アンテナ２５４に送られるすべての重み付け遅延信号を合計する。第Ｎ合計ユニット２９９は、第５出力２４２に結合される。
【００２６】
移動端末１０８（図３）は、RFユニット３０２に結合されるアンテナ３００によって構成される。RFユニット３０２は、当技術で周知のすべての無線周波数タスク、たとえば変調および周波数変換を行う。RFユニット３０２は、マイクロプロセッサ３０４に結合され、マイクロプロセッサ３０４はメモリ３０６に結合される。本発明の機能は、マイクロプロセッサ３０４内に組み込むことができる。
【００２７】
上記の装置の動作を次に説明する。
【００２８】
基地局１０２は、周波数レンジ上で移動端末１０８と通信する。周波数レンジは、当技術で周知のFDDスキームに従い、第１のアップリンク周波数帯域fULと第２のダウンリンク周波数帯域fDLとに分割される。このため、アップリンク周波数帯域fULは、移動端末１０８から基地局１０２へのアップリンク送信のために用いられ、ダウンリンク周波数帯域fDLは基地局１０２から移動端末１０８へのダウンリンク送信のために用いられる。
【００２９】
第１，第２，第３，第４および第５最適化スキームS1，S2，S3，S4，S5が基地局１００内のメモリ（図示せず）に格納される。第１，第２，第３，第４および第５最適化スキームS1，S2，S3，S4，S5は、それぞれ、それに関する第１，第２，第３，第４および第５の容量値を有する。第１，第２，第３，第４および第５容量値は、第１，第２，第３，第４および第５最適化スキームS1，S2，S3，S4，S5がアップリンク周波数帯域fUL上で帰還データを基地局１０２に送信するために必要とする容量に関連する。第１，第２，第３，第４および第５最適化スキームS1，S2，S3，S4，S5の各々が必要とする容量は、増分的に可変し、アップリンク周波数帯域上において、第１最適化スキームS1が最も少ない容量を必要とし、第５最適化スキームS5が最も大きな容量を必要とする。すなわち、容量（S1）＜容量（S2）＜容量（S3）＜容量（S4）＜容量（S5）となる。これは、必須要件ではない。
【００３０】
最適化スキームの例は次のようになる。
【００３１】
第１最適化スキームS1は遅延を基準とすることができる。このような最適化スキームにおいては、第１，第２および第３アンテナ２５０，２５２，２５４の各々が同じ電力において送信する。しかし、CDMAコードには時間オフセットが与えられる。
【００３２】
第１，第２および第３アンテナ２５０，２５２，２５４の第２最適化スキームS2においては、移動端末１０８で受信される最良の総電力に対応する単独のアンテナが選択される。
【００３３】
第３最適化スキームS3においては、第１，第２および第３アンテナ２５０，２５２，２５４から性能の良いほうの２つのアンテナが選択される。すなわち、この２つのアンテナが移動端末１０８で受信される最良の総電力を受け持つ。２つの最高性能のアンテナの位相は、ダウンリンク周波数帯域fDLにおける誤り率を小さくするように調整される。
【００３４】
第４最適化スキームS4は、第３最適化スキームS3と類似する。しかし、２つの最高性能のアンテナの利得および位相が、ダウンリンク周波数帯域fDLにおける誤り率を小さくするように調整される。
【００３５】
第５最適化スキームは、アンテナ・アレイのすべてのアンテナの利得および位相を調整して出力を最大にする。
【００３６】
上記の最適化スキームは第１，第２および第３アンテナ２５０，２５２，２５４に関して説明されるが、最適化スキームは３つのアンテナからなるアンテナ・アレイに限らず、アンテナ・アレイをより多くのアンテナによって構成することができる。同様に、上記の最適化スキームに関して、３つ以上の最高性能のアンテナを選択することもできる。最高性能アンテナは、たとえば、各アンテナを識別する一意的なトレーニング・ビットを用いることなどにより、識別することができる。
【００３７】
下側閾値T1が予め定められ、これは特定の時刻のアップリンク周波数帯域fUL上で使用可能な最大容量に対応する誤り率である。上側閾値T2が予め定められ、これは特定の時刻のアップリンク周波数帯域fUL上で使用可能な最小容量に対応する誤り率である。
【００３８】
図４を参照して、基地局１０２が初期化されると、選択ユニット２２２が変数Ｕを値「１」に設定する。これは、第１最適化スキームをまず採用することを示す。変数Ｕの値が移動端末１０８に同報通信され（段階４００）、移動端末１０８はどの最適化スキームが実行されるかを知る。他の移動端末１１２が基地局１０２と通信をしようとする場合は、これらの端末も変数Ｕを受信する。
【００３９】
アップリンク品質ユニット２２０が当技術で周知の方法、たとえば、ビット誤り率，ワード誤り率またはフレーム誤り率方法により、アップリンク周波数帯域fUL上の通信誤り率ｐを推定する（段階４０２）。誤り率ｐは、アップリンク周波数帯域fUL上で使用可能な容量に対応する品質尺度である。
【００４０】
アップリンク品質ユニット２２０は、誤り率ｐが閾値T1より下にあるT1か否かを判断する（段階４０４）。誤り率ｐが閾値T1より下にある場合は、変数Ｕの値が最適化スキームの最大数、この場合は５を越えなければ、アップリンク品質ユニット２２０は変数Ｕを１だけ増分する（段階４０６）。基地局１０２は、変数Ｕの更新値を移動端末１０８と他の移動端末１１２とに同報通信する。
【００４１】
誤り率ｐが閾値T1より低くない場合は、アップリンク品質ユニット２２０により、誤り率ｐが下側閾値T2よりも高いか否かを判断する（段階４１０）。誤り率ｐが閾値T2よりも高い場合は、アップリンク品質ユニット２２０は、変数Ｕの値が最適化スキームの最小数よりも下でない場合に、変数Ｕの値を１だけ減分する（段階４１２）。基地局１０８は、変数Ｕの更新値を同報通信する（段階４０８）。誤り率ｐが閾値T2よりも高くない場合は、基地局１０８は変数Ｕの現在の未改変値を同報通信する（段階４０８）。
【００４２】
基地局１０２は、次に、選択される最適化スキームを以下の方法で実行する（４１４）。基地局１０２は、変数Ｕの値が変更された場合に変数Ｕの値が受信されたという移動端末からの肯定応答の受信を待機する。次に選択ユニット２２２が、変数Ｕの値に従って、第１，第２，第３，第４および第５最適化スキームのうちの１つを選択する。導出ユニット２２４は、選択ユニット２２２により選択された最適化スキームS1，S2，S3，S4，S5に基づき、第１，第２および第Ｎ重み付け遅延網２５６，２５８，２６０により用いられる重みおよび遅延値を導き出す。導出された重みおよび遅延値は、第１，第２および第Ｎ重み付け遅延網２５６，２５８，２６０に転送され、実行される。
【００４３】
アップリンク品質ユニット２２０は、上記の手順を繰り返して、アップリンク周波数帯域fULの容量を頻繁に監視する。
【００４４】
図５を参照して、移動端末１０８は、基地局１０２により同報通信された（段階４０８）変数Ｕの値を受信する（段階５０２）。変数Ｕと同等の変数の対応値も、能動集合内の他の基地局から受信することができる。
【００４５】
変数Ｕの値を受信すると、移動端末１０８の速度が当技術では周知の方法により判定される。移動端末１０８は、次に移動端末１０８が高速、たとえば５０kphで移動中であるか否かを判断する（段階５０４）。移動端末が高速移動中の場合は、移動端末１０８は、変数Ukを変数Ｕと同じ値に設定することにより、第１最適化スキームS1すなわち、アップリンク周波数帯域fUL上に最も小さい容量を必要とする最適化スキームを選択する（段階５０６）。ただし、kは移動端末１０８を識別する。
【００４６】
次に、移動端末１０８は、移動端末１０８により設定される変数Ukの値が基地局１０２から受信される変数Ｕの値とは異なる場合に、変数Ukの値を基地局１０２（能動集合内の他の基地局１１２も含む）に通知する（段階５１２）。移動端末１０８は、次に、変数Ｕの値に対応する最適化スキームを実行する（段階５１６）。
【００４７】
基地局１０２から受信される変数Ｕの値が言及されるが、上記の動作は能動集合内の他の基地局１１２に関して等しく適用される。
【００４８】
CDMAシステムにおいては、ソフト・ハンドオーバー・モードが可能である。従って、移動端末１０８により、移動端末１０８が高速で移動中でないと判定される（段階５０４）と、移動端末１０８はソフト・ハンドオーバー・モードがイネーブルであるか否かを判定する（段階５０８）。ソフト・ハンドオーバー・モードがイネーブルの場合は、移動端末１０８は変数Ｕの値と能動集合内の他の基地局１１２から受信される変数Ｕの対応値とを検証して、変数Ukの値を受信される最低値に設定する。移動端末１０８は、次に、移動端末１０８により設定される変数Ｕの値が基地局１０２から受信される変数Ｕの値とは異なる場合に、基地局１０２（能動集合内の他の基地局１１２を含む）に対して、変数Ｕの値を通知する（段階５１２）。移動端末１０８は、変数Ukの値に対応する最適化スキームを実行する（段階５１６）。
【００４９】
移動端末１０８により、ソフト・ハンドオーバー・モードがイネーブルでないことが判定され（段階５０８）、変数Ukの値が基地局１０２から受信される変数Ｕの値とは異なる場合、移動端末１０８は、変数Ukの値を基地局１０２から受信される変数Ｕの値に設定し（段階５１４）、基地局１０２に対して肯定応答を送信する。移動端末１０８は、変数Ukの値に対応する最適化スキームを実行する（段階５１６）。
【００５０】
変数Ｕの値に対応する最適化スキームが実行されると（段階５１６）、移動端末１０８は、変数Ｕの更新値の受信を待つ（段階５０２）。
【００５１】
本発明の第２実施例においては、新規の移動端末１１４がカバレージ・エリア１０６に参入し、基地局１０２との通信を必要とする場合がある（図６）。基地局１０２は、基地局１０２と通信状態にある各移動端末のダウンリンク周波数帯域fDL上に割り当てられる平均ビット率に関する数値を、ビット率の関数（システム１００が動作する移動端末１０８または網により要求される）として、また特定の要求されるビット率に関して基地局１０２と通信状態にある移動端末１０８および他の移動端末１１２に割り当てられる第１，第２，第３，第４および第５最適化スキームS1，S2，S3，S4，S5のうち最も一般的なものとして、定期的に生成および更新する（段階６００）。
【００５２】
アップリンク誤り率ｐがアップリンク品質ユニット２２０により測定される（段階６０２）。基地局１０２は、基地局１０２と通信状態に入る必要のある新規の移動端末１１４が存在するか否かを判断する（段階６０４）。新規の移動端末１１４を登録する必要がある場合、基地局１０２は、下記に説明する新規のユーザセットアップ手順を実行する（段階７００）。新規の移動端末１１４をセットアップする必要がない場合、基地局１０２は下記に説明する調整手順を実行する（段階８００）。
【００５３】
図７を参照して、新規のユーザ・セットアップ手順の実行は、次の段階を包含する。アップリンク品質ユニット２２０は、誤り率ｐが上側閾値T2より大きいか否かを判断する（段階７０２）。誤り率ｐが上側閾値T2より大きくない場合は、選択ユニット２２２が変数Ukの値を設定し（段階７０４）、新規の移動端末１１４が採用する最適化スキームと、新規の移動端末１１４のために割り当てられるビット率とを示す。
【００５４】
ソフト・ハンドオーバー・モードがイネーブルになると、選択ユニット２２２は、新規の移動端末１１４に対応する変数Ukの値を「１」に設定する。これは、新規の移動端末１１４がアップリンク周波数帯域fUL上に最小容量を必要とする第１最適化スキームS1を用いることを示す。新規の移動端末１１４が低速で移動し、ソフト・ハンドオーバー・モードがイネーブルにならない場合は、新規の移動端末１１４に割り当てられるビット率が、同様のビット率要求を有する移動端末に匹敵するように生成される数値に従って、ダウンリンク周波数帯域fDL上のビット率が新規の移動端末１１４に割り当てられ、新規の移動端末１１４には、移動端末１０８および他の移動端末１１２により用いられるのと同じ最適化スキームが割り当てられる。新規の移動端末１１４が高速で移動中で、ソフト・ハンドオーバー・モードがイネーブルにならない場合は、ビット率は、上記の低速移動端末に関するのと同じ方法で新規の移動端末１１４に割り当てられ、新規の移動端末１１４の変数Ukには、アップリンク周波数帯域fUL上に最小の容量を必要とする第１最適化スキームS1に対応する値「１」が割り当てられる。
【００５５】
誤り率ｐが上側閾値T2より大きい場合は、基地局１０２は新規の移動端末に対応する変数Ukの値を「１」に割り当て（段階７０６）、新規の移動端末１１４がアップリンク周波数帯域fUL上に最小の容量を必要とする第１最適化スキームS1を用いることを示し、ビット率は上述の低速移動端末に関するのと同じ方法で新規の移動端末１１４に割り当てられる。
【００５６】
図８を参照して、調整手順の実行（段階８００）は次の通りである。
【００５７】
基地局１０２は、誤り率ｐが上側閾値T1より小さいか否かを判断する（段階８０２）。誤り率ｐが上側閾値T1より小さい場合は、基地局１０２はユーザ集合を識別する（段階８０４）。ユーザ集合は、低速で移動し、ソフト・ハンドオーバー・モードがイネーブルになっておらず、ダウンリンク周波数帯域fDL上により大きな容量を必要とする、基地局１０２に登録したすべての移動端末によって構成される。次に、基地局は第１，第２，第３または第４最適化スキームS1，S2，S3，S4のいずれかを用いるユーザ集合から移動端末を選択する（段階８０６）。次に基地局１０２は、次に高い最適化スキーム、すなわち、アップリンク周波数帯域fUL上に次に大きな容量を必要とする最適化スキーム、たとえば第５最適化スキームS5を、M1個の選択された移動端末に割り当てる。
【００５８】
基地局１０２に登録された移動端末のすべてに関して、基地局１０２は対応する移動端末の変数Ukの値に対する変更を通信する（段階８０８）。また、基地局１０２は、アップリンク周波数帯域fULの制御チャネルの容量を調整し、選択された移動端末に割り当てられる最適化スキームをイネーブルにし、ダウンリンク周波数帯域fDL上でデータ率を調整する。
【００５９】
誤り率ｐが上側閾値T1より小さくない場合は、基地局１０２は誤り率ｐが下側閾値T2より大きいか否かを判定する（段階８１０）。誤り率ｐが下側閾値T2より大きい場合は、基地局１０２は第１最適化スキームS1以外の最適化スキームを採用するM2個の移動端末を選択する（段階８１２）。基地局１０２は、M2個の移動端末の変数Ukの値を１だけ小さくして、選択された移動端末が次に低い最適化スキームに割り当てられるようにする。この手順は、アップリンク周波数帯域fUL上の容量が不充分な場合に行われる。
【００６０】
基地局１０２に登録されたすべての移動端末について、基地局１０２は変更された変数Ukの値に対する変更を通信する（段階８０８）。また、基地局１０２は、アップリンク周波数帯域fULの制御チャネルの容量を調整し、選択された移動端末に割り当てられる最適化スキームをイネーブルにし、ダウンリンク周波数帯域fDL上のデータ率を調整する。この段階（段階８０８）は、誤り率ｐが下側閾値T2より大きくない場合にも実行される。
【００６１】
上記の例から、アップリンク周波数帯域fUL上の容量を利用して、帰還データを送り、ダウンリンク周波数帯域fDL上の通信容量を改善、すなわち増大することができることがわかる。
【００６２】
上記の例は、アップリンク周波数帯域fUL上で使用可能な容量を用いて、ダウンリンク周波数帯域fDL上での需要の増大に対処することに関して説明されるが、逆の構成も可能である。すなわち、ダウンリンク周波数帯域fDL上に使用可能な容量を用いて、アップリンク周波数帯域fUL上での需要の増大に対処する。
【図面の簡単な説明】
【図１】通信システムの概略図である。
【図２】本発明の実施例を構成する基地局の概略図である。
【図３】本発明の実施例を構成する端末の概略図である。
【図４】図２の装置の動作を示す流れ図である。
【図５】図２の装置と端末との対話を示す流れ図である。
【図６】本発明の別の実施例を構成する基地局の概略図である。
【図７】図６の機能ブロックの流れ図である。
【図８】図６の別の機能ブロックの流れ図である。
【符号の説明】
START 開始
４００  基地局（BS）がU=1を同報通信し、送信ダイバーシチ・スキームU=1を用いる
４０２  基地局がアップリンク誤り率ｐを推定する
４０６  基地局がU=min（U+1,5)を更新する
４０８  基地局がUを同報通信する
４１２  基地局がU=max（U-1,0）を更新する
４１４  移動端末（MS）から肯定応答を受信すると、基地局が適切な送信ダイバーシチ・スキームを実行する
【図１】
0004344427.tif 000002
【図２】
0004344427.tif 000003
【図３】
0004344427.tif 000004
【図４】
0004344427.tif 000005
【図５】
0004344427.tif 000006
【図６】
0004344427.tif 000007
【図７】
0004344427.tif 000008
【図８】
0004344427.tif 000009